(57)【要約】      （修正有）【課題】しおりの使用性の向上を図った書物及びしおり用綴じ込みに関し、携帯時においてもしおりの使用性を良好とする。【解決手段】複数のしおり２２Ａ〜２２Ｃが離脱可能に形成されたしおり用綴じ込み２０を、中身１１と一緒に綴じ込んだ構成とする。また、しおり２２Ａ〜２２Ｃは、切り取り線２７を設けることにより、しおり用綴じ込み２０に対して離脱可能な構成とする。更に、各しおり２２Ａ〜２２Ｃに略Ｕ字状の切り込み部２５Ａ〜２５Ｃを設けることによりクリップ部２６Ａ〜２６Ｃを形成する。【選択図】図１
0003113516.tif 000002
【実用新案登録請求の範囲】
【請求項１】
単数または複数のしおりが離脱可能に形成されたしおり用綴じ込みを、中身と一緒に綴じ込んだことを特徴とする書物。
【請求項２】
請求項１記載の書物において、
前記しおり用綴じ込みは、切り取り部を形成することにより前記しおりを離脱可能な構成としていることを特徴とする書物。
【請求項３】
請求項１または２記載の書物において、
前記しおりは、略Ｕ字状の切り込み部を有するクリップしおりの構造を有することを特徴とする書物。
【請求項４】
外周部分に形成された切り取り部により台紙に対して離脱可能な構成とされたしおりと、書物に綴じ込まれる綴じ込み部とを具備することを特徴とするしおり用綴じ込み。
【請求項５】
請求項４記載のしおり用綴じ込みにおいて、
前記しおりは、略Ｕ字状の切り込み部を形成することによりクリップ部が設けられていることを特徴とするしおり用綴じ込み。
【考案の詳細な説明】
【技術分野】
【０００１】
本考案は書物及びしおり用綴じ込みに係り、特にしおりの使用性の向上を図った書物及びしおり用綴じ込みに関する。
【背景技術】
【０００２】
周知のように、しおりは読みかけた書物の間に挟んで目印とするものであり、紐状のしおり（以下、紐状しおりという）や、短冊状の紙よりなるしおり（以下、紙しおりという）が一般に用いられている。紐状しおりは、書物の背に設けられた花ぎれに一端を固定されており、書物の任意のページに挟むことにより目印とするものである。この紐状しおりは、一般に背及び花ぎれを有する上製本による書物において多く用いられる。
【０００３】
これに対して紙しおりは書物とは別体となっており、目印を付けたい位置に挟み込んで使用されるものである（例えば、特許文献１参照）。この紙しおりは、紐状しおりを用いない並製本による書物において多用される。
【特許文献１】特開平５−３４５４９１号公報
【考案の開示】
【考案が解決しようとする課題】
【０００４】
上記のように紐状しおり及び紙しおりは書物の目印を付けたい位置に挟み込んで使用されるものであるが、紙しおりは紐状しおりと異なり書物とは別体となっている。このため、紙しおりは不使用時においては書物と別個に保管或いは携帯する必要がある。
【０００５】
ところで書物の中でも週刊誌、月刊誌、旅行案内書、或いは時刻表等に代表されるような雑誌については携帯する機会が多いものである。このような携帯する機会が多い書物に目印を付けたくなった場合、通常はしおりを持ち歩くことは少ないため目印を付けることができない。また、目印を付けたいページを折り曲げることにより、しおりの代わりとすることも行なわれるが、この場合にはページに折り曲げ跡が残り、その後の書物の使用性が低下してしまう。
【０００６】
本考案は上記の点に鑑みてなされたものであり、携帯時においてもしおりの使用性が良好な書物及びしおり用綴じ込みを提供することを目的とする。
【課題を解決するための手段】
【０００７】
上記の課題を解決するために本考案では、次に述べる各手段を講じたことを特徴とするものである。
【０００８】
請求項１記載の考案に係る書物は、
単数または複数のしおりが離脱可能に形成されたしおり用綴じ込みを、中身と一緒に綴じ込んだことを特徴とするものである。
【０００９】
上記考案によれば、しおりが離脱可能に形成されたしおり用綴じ込みが書物に中身と一緒に綴じ合わされるため、しおりが必要となったときに、しおり用綴じ込みからしおりを離脱して使用することが可能となる。このため、しおりを書物と別個に携帯する必要がなくなり、例えば書物の携帯時に急に書物に目印を付けたくなったような場合にも即時に対応することができ、しおりの使用性の向上を図ることができる。また、しおりが形成されたしおり用綴じ込みを書物に綴じ込むため、書物の中身に印刷されている内容に対応した図柄をしおりに印刷することにより、書物の内容との一体感を持たせることができる。
【００１０】
また、請求項２記載の考案は、
請求項１記載の書物において、
前記しおり用綴じ込みは、切り取り部を形成することにより前記しおりを離脱可能な構成としていることを特徴とするものである。
【００１１】
上記考案によれば、切り取り部を形成することにより、しおり用綴じ込みに対してしおりを離脱可能な構成としたため、しおりをしおり用綴じ込みから容易に離脱させることができる。
【００１２】
また、請求項３記載の考案は、
請求項１または２記載の書物において、
前記しおりは、略Ｕ字状の切り込み部を有するクリップしおりの構造を有することを特徴とするものである。
【００１３】
上記考案によれば、しおりに略Ｕ字状の切り込み部を形成することによりクリップを設けることにより、いわゆるクリップしおりの構造としたため、しおりを書物の中身にクリップの弾力性を持って確実に装着することができ、しおりの書物からの離脱を防止することができる。
【００１４】
また、請求項４記載の考案に係るしおり用綴じ込みは、
外周部分に形成された切り取り部により台紙に対して離脱可能な構成とされたしおりと、書物に綴じ込まれる綴じ込み部とを具備することを特徴とするものである。
【００１５】
上記考案によれば、綴じ込み部を中身と一緒に綴じ合わすことにより、しおりが離脱可能に形成されたしおり用綴じ込みを書物内に容易に配設することができる。また、しおり用綴じ込みは書物内の任意位置に綴じ合わすことができるため、書物の中身に対応した図柄のしおりを、書物内の当該図柄に対応した位置に配設することが可能となり、書物の内容としおりの一体感を持たせることができる。
【００１６】
また、請求項５記載の考案は、
請求項４記載のしおり用綴じ込みにおいて、
前記しおりは、略Ｕ字状の切り込み部を形成することによりクリップ部が設けられていることを特徴とするものである。
【００１７】
上記考案によれば、しおりをいわゆるクリップしおりとすることができるため、しおりを書物の中身にクリップの弾力性を持って確実に装着することができ、しおりの書物からの離脱を防止することができる。
【考案の効果】
【００１８】
本考案によれば、しおりを書物と別個に携帯する必要がなくなり、例えば書物の携帯時に急に書物に目印を付けたくなったような場合にも即時に対応することができ、しおりの使用性の向上を図ることができる。
【考案を実施するための最良の形態】
【００１９】
次に、本考案を実施するための最良の形態について図面と共に説明する。
【００２０】
図１は本考案の一実施例である書物１０を示しており、また図２は本発明の一実施例であるしおり用綴じ込み２０を示している。尚、本実施例では書物１０として、例えば週刊誌、月刊誌、旅行案内書、或いは時刻表等に代表されるような雑誌を例に挙げて説明するが、他の書物に対しても適用可能なものである。
【００２１】
書物１０は、複数のページよりなる中身１１を綴じ部１２において綴じ込んだ構成とされている。この際、本実施例に係る書物１０は、しおり用綴じ込み２０を中身１１と一緒に綴じ込んだ構成とされている。従って、書物１０をしおり用綴じ込み２０の綴じ込み位置で開くと、図１に示すように中身１１を構成するページ１１Ａとページ１１Ｂとの間にしおり用綴じ込み２０が位置した状態となる。
【００２２】
しおり用綴じ込み２０は、図２に拡大して示すように、台紙２１上に複数（本実施例では３枚）のしおり２２Ａ〜２２Ｃと、綴じ込み部２３とを設けた構成としている。台紙２１は書物１０の高さと同等の高さを有し、また後述するようにクリップ部２６Ａ〜２６Ｃにバネ性を持たせるため、中身１１を構成する用紙（ページ）よりも若干厚手の紙により構成されている。
【００２３】
しおり２２Ａ〜２２Ｃは、外周部分に形成された切り取り線２７により台紙２１に対して離脱可能な構成とされている。切り取り線２７を設けることにより、図３に示すように、しおり２２Ａ〜２２Ｃを台紙２１から容易に切り離すことができる。この切り取り線２７は、書物１０の使用により中身１１が開閉されても、各しおり２２Ａ〜２２Ｃが容易に台紙２１から離脱することなく、かつ、台紙２１から切り離されるときには容易に切り離しが行なえる間隔で形成された切り込みにより構成されている。
【００２４】
また、本実施例では、しおり用綴じ込み２０に複数のしおり２２Ａ〜２２Ｃが設けられている。このため、図３に示すようにその内の１枚（例えば、しおり２２Ｃ）を切り離して使用しても、２枚はしおり用綴じ込み２０に残るため、これをスペアーとすることができる。よって、仮にしおり２２Ｃを紛失したとしても、しおり２２Ａ，２２Ｂを切り離し使用することができ、使用性の向上を図ることができる。
【００２５】
更に、各しおり２２Ａ〜２２Ｃには、略Ｕ字状の切り込み部２５Ａ〜２５Ｃが形成されることにより、クリップ部２６Ａ〜２６Ｃが形成されている。また、前記のように台紙２１の厚さは、クリップとして機能する厚さとされている。よって、各しおり２２Ａ〜２２Ｃは、クリップ部２６Ａ〜２６Ｃを中身１１の目印を付けたいページに差し込むことが可能となり、いわゆるクリップしおりの構造となる。
【００２６】
このように、各しおり２２Ａ〜２２Ｃをクリップしおりの構造とすることにより、しおり２２Ａ〜２２Ｃを書物１０の中身１１にクリップ部２６Ａ〜２６Ｃの弾力性を持って装着することができる。
【００２７】
図４は、しおり２２Ａを書物１０に装着した状態を示している。同図に示すように、クリップ部２６Ａ〜２６Ｃを設けることにより、しおり２２Ａ〜２２Ｃの書物１０からの離脱を防止することができる。このようクリップ部２６Ａ〜２６Ｃが設けられたしおり２２Ａ〜２２Ｃは、特に本実施例のように携帯される機会が多い雑誌等の書物１０では使用性がよい。
【００２８】
綴じ込み部２３は、台紙２１の端部に細長く形成された部分である。この綴じ込み部２３は、書物１０の綴じ部１２に対応した大きさに形成されており、書物１０の製本時に書物１０と共に綴じ込まれる部位である。従って、この綴じ込み部２３には特に印刷はされていない。
【００２９】
また本実施例では、台紙２１の綴じ込み部２３が形成された反対側の側部に説明印刷部２４が形成されている。本実施例では、説明印刷部２４にしおり２２Ａ〜２２Ｃを台紙２１から切り離す方法が印刷されている。この説明印刷部２４を設けることにより、各しおり２２Ａ，２２Ｂは綴じ込み部２３と説明印刷部２４により両側が保持されるため、しおり２２Ａ，２２Ｂが台紙２１から離脱することを防止できる。
【００３０】
ところで本実施例では、図２に示すように、しおり２２Ａ〜２２Ｃには列車が印刷されている。即ち、複数のしおり２２Ａ〜２２Ｃは直列に配置されており、各々が列車の一両に相当するように構成されている。この列車の印刷は台紙２１の表裏両面にされており、よってしおり２２Ａ〜２２Ｃを表裏どちらの向きで使用しても列車がイメージされるよう構成されている。
【００３１】
また、図１に示すようにしおり用綴じ込み２０の綴じ込み位置を開いた際、本実施例に係る書物１０（雑誌）は、しおり２２Ａ〜２２Ｃに印刷された列車で行く旅行の記事が掲載されている。このように、書物１０の記載内容に適合した内容をしおり２２Ａ〜２２Ｃに印刷しておくことにより、書物１０としおり用綴じ込み２０との間に一体感を持たせることができると共に、書物１０の読み手に対して強い印象を与えることができる。よって、本実施例に係るしおり用綴じ込み２０を設けることにより、印刷内容に対する宣伝広告の機能増大を図ることができる。
【００３２】
また、上記したように、本実施例に係る書物１０及びしおり用綴じ込み２０は、しおり２２Ａ〜２２Ｃが形成されたしおり用綴じ込み２０が書物１０に中身１１と一緒に綴じ込まれるため、書物１０の携帯時等においてしおりが必要となったときに、しおり用綴じ込み２０からしおり２２Ａ〜２２Ｃを切り離して使用することが可能となる。このため、しおりを書物と別個に携帯する必要がなくなり、例えば書物の携帯時に急に書物に目印を付けたくなったような場合にも即時に対応することができ、しおりの使用性の向上を図ることができる。
【００３３】
更に、しおり用綴じ込み２０は綴じ込み部２３を中身１１と一緒に綴じ込む構成であるため、しおり用綴じ込み２０を容易に書物１０内に配設することができる。また、しおり用綴じ込み２０は書物１０内の任意位置に綴じ合わすことができるため、上記のように書物１０の中身に対応した図柄のしおり２２Ａ〜２２Ｃを、書物１０内の当該図柄に対応した位置に容易に配設することができる。
【００３４】
尚、上記した実施例ではしおり２２Ａ〜２２Ｃの図柄を列車としたが、他の図柄とすることもできる。この場合、当該他の図柄が印刷されたしおり２２Ａ〜２２Ｃ（しおり用綴じ込み２０）を、書物１０内の当該図柄に対応した位置に設けることが効果的である。
【００３５】
また、上記した実施例では、しおり２２Ｃの側部には説明印刷部２４が設けられていない構成としたが、説明印刷部２４の側部にも説明印刷部２４を形成する構成としてもよい。また、逆に全てのしおり２２Ａ〜２２Ｃの側部に説明印刷部２４が設けられない構成することも可能である。更に、本実施例では、説明印刷部２４をしおり２２Ａ〜２２Ｃの使用方法の説明のために使用しているが、広告その他の用途に用いることも可能である。
【図面の簡単な説明】
【００３６】
【図１】図１は、本発明の一実施例である書物を示す斜視図である。
【図２】図２は、本発明の一実施例であるしおり用綴じ込みを示す平面図である。
【図３】図３は、しおりをしおり用綴じ込みから切り離す様子を示す斜視図である。
【図４】図４は、しおり用綴じ込みから切り離されたしおりの使用状態を示す斜視図である。
【符号の説明】
【００３７】
１０  書物
１１  中身
１２  綴じ部
２０  しおり用綴じ込み
２１  台紙
２２Ａ〜２２Ｃ  しおり
２３  綴じ込み部
２４  説明印刷部
２５Ａ〜２５Ｃ  切り込み部
２６Ａ〜２６Ｃ  クリップ部
２７  切り取り線
【図１】
0003113516.tif 000003
【図２】
0003113516.tif 000004
【図３】
0003113516.tif 000005
【図４】
0003113516.tif 000006